(57)【特許請求の範囲】
【請求項１】
予め格納されたマクロ基地局のための第１コードブック又は小型基地局のための第２コードブックのうち前記第２コードブックを選択するステップと、
前記第２コードブックに対応するフィードバックリソースを割り当てるステップと、
前記第２コードブックを用いて前記小型基地局と対象端末との間のチャネルと関連するフィードバック情報を生成するステップと、
前記小型基地局に前記割り当てられたフィードバックリソースを用いて前記フィードバック情報を送信するステップと、
を含むことを特徴とする対象端末の動作方法。
【請求項２】
前記第２コードブックのサイズは、前記第１コードブックのサイズより大きいことを特徴とする請求項１に記載の対象端末の動作方法。
【請求項３】
前記フィードバック情報を生成するステップは、
前記小型基地局と前記対象端末との間のチャネルに基づいて前記第２コードブックに含まれる複数のコードワードのうち少なくとも１つを選択するステップを含み、
前記フィードバック情報は、
前記第２コードブックに含まれる複数のコードワードのうち少なくとも１つと関連する好適なマトリックスインデックスを含むことを特徴とする請求項１に記載の対象端末の動作方法。
【請求項４】
前記フィードバック情報は、
前記チャネルに対するチャネル品質情報又はランクインジケータをさらに含むことを特徴とする請求項３に記載の対象端末の動作方法。
【請求項５】
前記小型基地局から送信された周知の信号を用いて前記小型基地局と前記対象端末との間の前記チャネルを推定するステップをさらに含むことを特徴とする請求項１に記載の対象端末の動作方法。
【請求項６】
前記フィードバックリソースを割り当てるステップは、
前記第２コードブックのサイズに対応する量を有する前記フィードバックリソースを割り当てるステップであることを特徴とする請求項１に記載の対象端末の動作方法。
【請求項７】
前記対象端末が前記マクロ基地局又は前記小型基地局のうちどの基地局に接続（ａｃｃｅｓｓ）するかを判断するステップをさらに含むことを特徴とする請求項１に記載の対象端末の動作方法。
【請求項８】
前記対象端末が前記マクロ基地局に接続した場合、
前記第１コードブック又は前記第２コードブックのうち前記第１コードブックを選択するステップと、
前記第１コードブックに対応するフィードバックリソースを割り当てるステップと、
前記第１コードブックを用いて前記マクロ基地局と対象端末との間のチャネルと関連するフィードバック情報を生成するステップと、
前記マクロ基地局に前記割り当てられたフィードバックリソースを用いて前記フィードバック情報を送信するステップと、
をさらに含むことを特徴とする請求項７に記載の対象端末の動作方法。
【請求項９】
対象端末がマクロ基地局又は小型基地局のうちどの基地局に接続するかを判断するステップと、
前記対象端末が小型基地局に接続した場合、前記小型基地局に対応する量だけフィードバックリソースを割り当てるステップと、
前記割り当てられたフィードバックリソースを考慮して前記小型基地局と対象端末との間のチャネルと関連するフィードバック情報を生成するステップと、
前記小型基地局に前記割り当てられたフィードバックリソースを用いて前記フィードバック情報を送信するステップと、
を含むことを特徴とする対象端末の動作方法。
【請求項１０】
前記フィードバックリソースを割り当てるステップは、
前記対象端末が前記マクロ基地局に接続した場合よりも、前記対象端末が小型基地局に接続した場合にさらに多量の前記フィードバックリソースを割り当てるステップであることを特徴とする請求項９に記載の対象端末の動作方法。
【請求項１１】
前記小型基地局から送信された周知の信号を用いて前記小型基地局と前記対象端末との間の前記チャネルを推定するステップをさらに含み、
前記フィードバック情報を生成するステップは、
前記割り当てられたフィードバックリソースを考慮して前記推定されたチャネルを量子化するステップを含むことを特徴とする請求項１０に記載の対象端末の動作方法。
【請求項１２】
マクロ基地局のための第１コードブックと区別される小型基地局のための第２コードブックに対応するフィードバックリソースを割り当てるステップと、
対象端末と前記小型基地局との間のチャネルと関連するフィードバック情報であって、前記第２コードブックに基づいて前記フィードバックリソースを介して送信されたフィードバック情報を分析するステップと、
前記小型基地局と前記マクロ基地局に対応するマクロ端末との間のチャネルを認知又は予測するステップと、
前記小型基地局と前記マクロ端末との間のチャネル及び前記フィードバック情報に基づいて前記対象端末のためのビームフォーミングマトリックスを構成するステップと、
を含むことを特徴とする小型基地局の動作方法。
【請求項１３】
前記小型基地局と前記マクロ端末との間のチャネルを認知又は予測するステップは、
前記小型基地局と前記マクロ端末との間のチャネルに関する情報を前記マクロ基地局から受信して前記小型基地局と前記マクロ端末との間のチャネルを認知するか、もしくは、チャネル相反性を用いて前記小型基地局と前記マクロ端末との間のチャネルを認知又は予測するステップであることを特徴とする請求項１２に記載の小型基地局の動作方法。
【請求項１４】
前記第２コードブックのサイズは、前記第１コードブックのサイズより大きいことを特徴とする請求項１２に記載の小型基地局の動作方法。
【請求項１５】
前記ビームフォーミングマトリックスを構成するステップは、
前記小型基地局によって前記マクロ端末で発生する干渉を考慮して前記ビームフォーミングマトリックスを構成するステップであることを特徴とする請求項１２に記載の小型基地局の動作方法。
【請求項１６】
前記フィードバック情報を分析するステップは、
前記フィードバック情報から前記第２コードブックに含まれる複数のコードワードのうち少なくとも１つと関連する前記対象端末の好適なマトリックスインデックスを把握するステップを含むことを特徴とする請求項１２に記載の小型基地局の動作方法。
【請求項１７】
対象端末が小型基地局に接続した場合、前記小型基地局に対応する量だけフィードバックリソースを割り当てるステップと、
前記対象端末と前記小型基地局との間のチャネルを量子化することによって生成されたフィードバック情報であって、前記フィードバックリソースを介して送信されたフィードバック情報を分析するステップと、
前記小型基地局と前記マクロ基地局に対応するマクロ端末との間のチャネルを認知又は予測するステップと、
前記小型基地局と前記マクロ端末との間のチャネル及び前記フィードバック情報に基づいて前記対象端末のためのビームフォーミングマトリックスを構成するステップと、
を含むことを特徴とする小型基地局の動作方法。
【請求項１８】
前記フィードバックリソースを割り当てるステップは、
前記対象端末が前記マクロ基地局に接続した場合よりも、前記対象端末が小型基地局に接続した場合にさらに多量の前記フィードバックリソースを割り当てるステップであることを特徴とする請求項１７に記載の小型基地局の動作方法。
【請求項１９】
請求項１から請求項１８のうち何ずれか１項の方法を実行するためのプログラムが記録されたことを特徴とするコンピュータで読み出し可能な記録媒体。
【発明の詳細な説明】
【技術分野】
【０００１】
以下に述べる実施形態に係る技術は、接続（ａｃｃｅｓｓ）網のクラスに応じて非対称的なフィードバック方式を用いる階層セル通信システムにおいて、マクロセルと小型セルとが同一の無線リソースを使用する場合にマクロセル通信システムで発生する干渉を低減できる、対象端末及び小型基地局の動作方法、並びにそのためのコンピュータで読み出し可能な記録媒体に関する。
【背景技術】
【０００２】
近年、フェムトセル通信システム又はピコセル通信システムなどの小型セル通信システムに関する関心が高まっている。即ち、サービスプロバイダが恒久的に設置するマクロセルと異なり、小型セルはユーザが自律的に設置でき、少なくとも１つのマクロセル及び少なくとも１つの小型セルは階層セル通信システムを構成する。
【発明の概要】
【発明が解決しようとする課題】
【０００３】
階層セル通信システムは、特定地域に少なくとも１つの小型セルを設立することによって、該特定地域で高いシステムリソース容量を達成できる。ただし、マクロセルでは小型セルに起因する干渉が発生する場合があり、このような干渉はシステムのスループットを低下し、送信データの逸失を招く。
【課題を解決するための手段】
【０００４】
本発明の一実施形態に係る対象端末の動作方法は、予め格納されたマクロ基地局のための第１コードブック又は小型基地局のための第２コードブックのうち前記第２コードブックを選択するステップと、前記第２コードブックに対応するフィードバックリソースを割り当てるステップと、前記第２コードブックを用いて前記小型基地局と対象端末との間のチャネルと関連するフィードバック情報を生成するステップと、前記小型基地局に前記割り当てられたフィードバックリソースを用いて前記フィードバック情報を送信するステップとを含む。
【０００５】
前記第２コードブックのサイズは、前記第１コードブックのサイズより大きくてもよい。
【０００６】
前記フィードバック情報を生成するステップは、前記小型基地局と前記対象端末との間のチャネルに基づいて前記第２コードブックに含まれる複数のコードワードのうち少なくとも１つを選択するステップを含み、前記フィードバック情報は、前記第２コードブックに含まれる複数のコードワードのうち少なくとも１つと関連する好適なマトリックスインデックス（Ｐｒｅｆｅｒｒｅｄ  Ｍａｔｒｉｘ  Ｉｎｄｅｘ、ＰＭＩ）を含んでもよい。
ここで、前記フィードバック情報は、前記チャネルに対するチャネル品質情報（Ｃｈａｎｎｅｌ  Ｑｕａｌｉｔｙ  Ｉｎｆｏｒｍａｔｉｏｎ、ＣＱＩ）又はランクインジケータ（Ｒａｎｋ  Ｉｎｄｉｃａｔｏｒ）をさらに含んでもよい。
【０００７】
前記対象端末の動作方法は、前記小型基地局から送信された周知の信号を用いて前記小型基地局と前記対象端末との間の前記チャネルを推定するステップをさらに含んでもよい。
【０００８】
前記フィードバックリソースを割り当てるステップは、前記第２コードブックのサイズに対応する量を有する前記フィードバックリソースを割り当てるステップであってもよい。
【０００９】
前記対象端末の動作方法は、前記対象端末が前記マクロ基地局又は前記小型基地局のうちどの基地局に接続（ａｃｃｅｓｓ）するかを判断するステップをさらに含んでもよい。
【００１０】
前記対象端末の動作方法は、前記対象端末が前記マクロ基地局に接続した場合、前記第１コードブック又は前記第２コードブックのうち前記第１コードブックを選択するステップと、前記第１コードブックに対応するフィードバックリソースを割り当てるステップと、前記第１コードブックを用いて前記マクロ基地局と対象端末との間のチャネルと関連するフィードバック情報を生成するステップと、前記マクロ基地局に前記割り当てられたフィードバックリソースを用いて前記フィードバック情報を送信するステップとをさらに含んでもよい。
【００１１】
また、本発明の他の実施形態に係る対象端末の動作方法は、対象端末がマクロ基地局又は小型基地局のうちどの基地局に接続するかを判断するステップと、前記対象端末が小型基地局に接続した場合、前記小型基地局に対応する量だけフィードバックリソースを割り当てるステップと、前記割り当てられたフィードバックリソースを考慮して前記小型基地局と対象端末との間のチャネルと関連するフィードバック情報を生成するステップと、前記小型基地局に前記割り当てられたフィードバックリソースを用いて前記フィードバック情報を送信するステップとを含む。
【００１２】
前記フィードバックリソースを割り当てるステップは、前記対象端末が前記マクロ基地局に接続した場合よりも、前記対象端末が小型基地局に接続した場合にさらに多量の前記フィードバックリソースを割り当てるステップであってもよい。
【００１３】
前記対象端末の動作方法は、前記小型基地局から送信された周知の信号を用いて前記小型基地局と前記対象端末との間の前記チャネルを推定するステップをさらに含み、前記フィードバック情報を生成するステップは、前記割り当てられたフィードバックリソースを考慮して前記推定されたチャネルを量子化するステップを含んでもよい。
【００１４】
また、本発明の一実施形態に係る小型基地局の動作方法は、マクロ基地局のための第１コードブックと区別される小型基地局のための第２コードブックに対応するフィードバックリソースを割り当てるステップと、対象端末と前記小型基地局との間のチャネルと関連するフィードバック情報であって、前記第２コードブックに基づいて前記フィードバックリソースを介して送信されたフィードバック情報を分析するステップと、前記小型基地局と前記マクロ基地局に対応するマクロ端末との間のチャネルを認知又は予測するステップと、前記小型基地局と前記マクロ端末との間のチャネル及び前記フィードバック情報に基づいて前記対象端末のためのビームフォーミングマトリックスを構成するステップとを含む。
【００１５】
前記小型基地局と前記マクロ端末との間のチャネルを認知又は予測するステップは、前記小型基地局と前記マクロ端末との間のチャネルに関する情報を前記マクロ基地局から受信して前記小型基地局と前記マクロ端末との間のチャネルを認知するか、もしくは、チャネル相反性（ｃｈａｎｎｅｌ  ｒｅｃｉｐｒｏｃｉｔｙ）を用いて前記小型基地局と前記マクロ端末との間のチャネルを認知又は予測するステップであってもよい。
【００１６】
前記第２コードブックのサイズは、前記第１コードブックのサイズより大きくてもよい。
【００１７】
前記ビームフォーミングマトリックスを構成するステップは、前記小型基地局によって前記マクロ端末で発生する干渉を考慮して前記ビームフォーミングマトリックスを構成するステップであってもよい。
【００１８】
前記フィードバック情報を分析するステップは、前記フィードバック情報から前記第２コードブックに含まれる複数のコードワードのうち少なくとも１つと関連する前記対象端末の好適なマトリックスインデックスを把握するステップを含んでもよい。
【００１９】
また、本発明の他の実施形態に係る動作方法は、対象端末が小型基地局に接続した場合、前記小型基地局に対応する量だけフィードバックリソースを割り当てるステップと、前記対象端末と前記小型基地局との間のチャネルを量子化することによって生成されたフィードバック情報であって、前記フィードバックリソースを介して送信されたフィードバック情報を分析するステップと、前記小型基地局と前記マクロ基地局に対応するマクロ端末との間のチャネルを認知又は予測するステップと、前記小型基地局と前記マクロ端末との間のチャネル及び前記フィードバック情報に基づいて前記対象端末のためのビームフォーミングマトリックスを構成するステップとを含む。
【００２０】
前記フィードバックリソースを割り当てるステップは、前記対象端末が前記マクロ基地局に接続した場合よりも、前記対象端末が小型基地局に接続した場合にさらに多量の前記フィードバックリソースを割り当てるステップであってもよい。
【発明の効果】
【００２１】
本発明の実施形態によれば、小型セル通信システムとマクロセル通信システムは、互いに異なるコードブックを用い、及び／又は、フィードバック情報のために互いに異なる量の無線リソースを用いることができる。
【００２２】
本発明の実施形態によれば、小型基地局はマクロ基地局に比べて複数のビームを使用できるだけでなく、小型基地局に対応する端末は多量のフィードバック情報を送信するためにアップリンクで多量の無線リソースを用いることができる。
【００２３】
本発明の実施形態によれば、小型基地局及びそれに対応する端末は、マクロセル通信システムで用いられるコードブックよりも大きいサイズのコードブックを用いることによって、マクロセル通信システムで発生する干渉をさらに低減できる。
【００２４】
本発明の実施形態によれば、小型基地局に対応する端末は、多量のフィードバック情報を小型基地局に送信することによって、小型基地局はマクロセル通信システムで発生する干渉が最小化されるように最適化されたビームフォーミングマトリックスを構成できる。
【図面の簡単な説明】
【００２５】
【図１】マクロセル及び小型セルを含む階層セル通信システムの一例を示す図である。
【図２】同一のサイズのコードブックを用いるマクロ基地局及び小型基地局の一例を示す図である。
【図３】マクロ基地局によって用いられるコードブックのサイズよりも大きいサイズを有するコードブックを用いる小型基地局の一例を示す図である。
【図４】フィードバック情報の構造の一例を示す図である。
【図５】フィードバック情報を送信するために用いられる無線リソースの一例を示す図である。
【図６】本発明の一実施形態に係るコードブックベース（ｃｏｄｅｂｏｏｋ−ｂａｓｅｄ）の通信システムにおける端末の動作方法の一例を示した動作フローチャートである。
【図７】本発明の一実施形態に係るコードブックベースの通信システムにおけるマクロ基地局の動作方法の一例を示した動作フローチャートである。
【図８】本発明の一実施形態に係るコードブックベースの通信システムにおける小型基地局の動作方法の一例を示した動作フローチャートである。
【図９】本発明の一実施形態に係る非コードブックベース（ｎｏｎ  ｃｏｄｅｂｏｏｋ−ｂａｓｅｄ）の通信システムにおける端末の動作方法の一例を示した動作フローチャートである。
【図１０】本発明の一実施形態に係る端末のブロック図である。
【図１１】本発明の一実施形態に係るマクロ基地局のブロック図である。
【図１２】本発明の一実施形態に係るマクロ小型基地局のブロック図である。
【発明を実施するための形態】
【００２６】
以下、本発明に係る好適な実施形態を、添付した図面を参照しながら詳細に説明する。
【００２７】
図１は、マクロセル及び小型セルを含む階層セル通信システムの一例を示す図である。
【００２８】
図１を参照すると、本階層セル通信システムは、マクロセル１１０及びマクロセル１１０内に配置された小型セル１２０を含む。そして、マクロセル１１０はマクロ基地局１１１及びマクロ端末１１２を含み、小型セル１２０は小型基地局１２１及び小型端末１２２を含む。ここで、小型基地局１２１は、周知のフェムト基地局、ピコ基地局を含むだけでなく、中継機などのように端末としてサービスできる全ての通信装置を意味する。小型端末１２２は、小型基地局１２１によってサービスされる通信装置であって、例えば、携帯電話機、ノートブック、ＰＤＡ（Ｐｅｒｓｏｎａｌ  Ｄｉｇｉｔａｌ  Ａｓｓｉｓｔａｎｃｅ）などを含む。
【００２９】
階層セル通信システムにおいて、小型セル１２０によって特定地域内に存在する小型端末１２２には高品質のマルチメディアサービスが提供され得る。ただし、小型基地局１２１から送信される信号は、マクロ端末１１２には干渉として作用し、このような干渉による問題を解決するために、従来、大別して２種類の技術が提案されている。
【００３０】
第１の技術によれば、小型セル１２０は、マクロセル１１０によって用いられる周波数リソースと異なる周波数リソースを用いることによって、マクロセル１１０における干渉の発生を防止する。そして、第２の技術によれば、小型セル１２０は小型基地局１２１からマクロ端末１１２への干渉チャネルを認知した後、その干渉チャネルを考慮して適切に送信パワーを調節することによってマクロ端末１１２で発生する干渉を低減する。
【００３１】
ここで、第１の技術によれば、マクロセル１１０及び小型セル１２０が互いに異なる周波数リソースを用いるので、周波数リソースの再使用率を向上できない可能性がある。第２の技術は、小型セル１２０のカバレッジがマクロセル１１０の状態によって変動する問題を有する。
【００３２】
下記に詳細に説明するように、本発明の実施形態によれば、小型基地局１２１は、干渉チャネル及び小型基地局１２１と小型端末１２２との間のチャネルを考慮してビームフォーミングマトリックスを構成することによって、マクロ端末１１２で発生する干渉を低減できる。
【００３３】
一般に、マクロセル１１０において、マクロ基地局１１１には比較的多数のマクロ端末が接続（ａｃｃｅｓｓ）するので、各マクロ端末にはフィードバック情報を送信するために比較的少量の無線リソースが割り当てられる。ただし、小型基地局１２１に接続する小型端末は比較的少数であるので、各小型端末はフィードバック情報を送信するために多量の無線リソースを使用できる。
例えば、全ての端末がアップリンクで合計８ビットのＰＭＩ（好適なマトリックスインデックス、Ｐｒｅｆｅｒｒｅｄ  Ｍａｔｒｉｘ  Ｉｎｄｅｘ）を送信できると仮定する。ここで、マクロ端末が４つ存在する場合、１つのマクロ端末は８／４＝２ビットのＰＭＩを送信できる一方、小型端末が２つ存在する場合、１つの小型端末は８／２＝４ビットのＰＭＩを送信できる。
【００３４】
各小型端末がフィードバック情報を送信するために多量の無線リソースを使用できるということは、小型基地局１２１がより最適化されたビームフォーミングマトリックスを構成できることを意味する。もし、小型セル１２０がコードブックベースの通信システムであれば、小型基地局１２１及び小型端末１２２はマクロセル１１０に比べて相対的に大きいサイズのコードブックを使用できる。例えば、マクロ端末１１２が２ビットのＰＭＩをマクロ基地局１１１にフィードバックする一方（マクロセル１１０が２ビットのコードブックを用いる一方）、小型基地局１２１に接続された小型端末１２２は４ビットのＰＭＩを小型基地局１２１にフィードバックできる（小型セル１２０は４ビットのコードブックを使用できる）。従って、小型基地局１２１では相対的に多くの個数（２４＝１６）の候補ビームが存在し、小型基地局１２１はその候補ビームのうち最適な候補ビームに対応するビームフォーミングマトリックスを構成できる。
【００３５】
結局、本発明の実施形態によれば、端末がマクロ基地局１１１又は小型基地局１２１のうちどの基地局に接続するかによって、端末によって生成／送信されるフィードバック情報の量が異なり得る。即ち、本発明の実施形態では、端末の接続網のクラスに応じて非対称的なフィードバック方式を使用できる。
【００３６】
図２は、同一のサイズのコードブックを用いるマクロ基地局及び小型基地局の一例を示す図である。
【００３７】
図２を参照すると、マクロ基地局は、４つの候補ビーム（ビームＡ、Ｂ、Ｃ、Ｄ）を用い、小型基地局もまた４つの候補ビーム（ビーム１、２、３、４）を用いる。マクロセル通信システム及び小型セル通信システムが全てコードブックベースの通信システムであれば、図２に示したマクロセル通信システム及び小型セル通信システムの各々は２ビットのコードブックを用いる。
【００３８】
即ち、マクロ基地局によってサービスされるマクロ端末は、マクロ基地局とマクロ端末との間のチャネルを推定した後、フィードバック情報を生成する。ここで、フィードバック情報は、好適なマトリックスのインデックスであるＰＭＩ、チャネル品質情報（Ｃｈａｎｎｅｌ  Ｑｕａｌｉｔｙ  Ｉｎｆｏｒｍａｔｉｏｎ）であるＣＱＩ、及び好適なランクのインジケータ（Ｒａｎｋ  Ｉｎｄｉｃａｔｏｒ）であるＲＩを含む。より具体的には、マクロ端末は前記チャネルに基づいてコードブックから好適なマトリックスを選択する。
即ち、マクロ端末は、２ビットのコードブックに含まれる４つのコードワードのうち何ずれか１つを好適なマトリックスとして選択した後、その好適なマトリックスのインデックスを示す２ビットのＰＭＩをマクロ基地局にフィードバックする。それだけでなく、マクロ端末は、そのチャネルの品質を示すチャネル品質情報（ＣＱＩ）、及び好適なランクを示すランクインジケータ（ＲＩ）をマクロ基地局にフィードバックする。ここで、マクロ基地局はフィードバック情報に基づいて４つの候補ビーム（ビームＡ、Ｂ、Ｃ、Ｄ）のうち最適なビームに対応するビームフォーミングマトリックスを構成する。
【００３９】
また、小型端末もまた小型端末と小型基地局との間のチャネルを推定した後、そのチャネルに基づいて２ビットのコードブックから２ビットのＰＭＩを生成する。また、小型端末は、そのチャネルに対するＣＱＩ及びＲＩを生成した後、ＰＭＩ、ＣＱＩ、及びＲＩをフィードバック情報として小型基地局に送信する。ここで、小型基地局は、小型基地局とマクロ端末との間の干渉チャネルを認知し、その干渉チャネル及び小型端末から送信されたフィードバック情報に基づいて４つの候補ビーム（ビーム１、２、３、４）のうち最適なビームに対応するビームフォーミングマトリックスを構成する。即ち、小型基地局は、小型端末のＰＭＩだけでなくマクロ端末で発生する干渉を全て考慮してビームフォーミングマトリックスを構成する。
【００４０】
ここで、小型基地局によって使用可能な候補ビーム（ビーム１、２、３、４）の個数が増加する場合、マクロ端末で発生する干渉をさらに低減すると同時に小型端末へのシステムリソース容量を増加できる可能性が高くなる。換言すると、小型基地局によって使用可能な候補ビーム（ビーム１、２、３、４）の個数が増加する場合、小型基地局によって用いられるコードブックの量子化エラーが減少し得るので、小型基地局はより精密に小型端末と小型基地局との間のチャネルを把握できる。さらに、小型基地局は、より精密に小型端末と小型基地局との間のチャネルを把握できるので、小型基地局に起因してマクロ端末で発生する干渉をさらに低減できる。
【００４１】
先に説明したように、小型セルは一般的に少数の端末をサービスするので、アップリンクのフィードバックオーバーヘッドは、マクロセルの場合よりも厳格に制限されない。従って、本発明の実施形態では、小型セルで相対的に大容量のフィードバック情報を送信／受信できるように、小型セルのフィードバック情報に多量の無線リソースを割り当てできる。より具体的な方法については、下記にて説明する。
【００４２】
図３は、マクロ基地局によって用いられるコードブックのサイズよりも大きいサイズを有するコードブックを用いる小型基地局の一例を示す図である。
【００４３】
図３を参照すると、マクロ基地局は２ビットのコードブックを用いる一方、小型基地局は３ビットのコードブックを用いる。換言すると、各マクロ端末は、２ビットのＰＭＩを生成及び送信する一方、各小型端末は３ビットのＰＭＩを生成及び送信する。２ビットのコードブックは、４つのコードワードを含むので、マクロ基地局は４つの候補ビーム（ビームＡ、Ｂ、Ｃ、Ｄ）のうち何ずれか１つを選択し、一方３ビットのコードブックは８個のコードワードを含むので、小型基地局は８個の候補ビーム（ビーム１から８）のうち何ずれか１つを選択する。
【００４４】
小型基地局は、相対的に大きいサイズのコードブックを有するので、相対的に多数の候補ビームを有する。従って、小型基地局は、小型端末への容量を極大化すると共にマクロ端末への干渉を低減する高い可能性を有する、最適化されたビームフォーミングマトリックスを構成できる。ここで、各小型端末はさらに多量のＰＭＩ（又はフィードバック情報）を小型基地局にフィードバックしなければならないという負担を有するが、小型セルでのフィードバックオーバーヘッドは厳格に制限されないので、各小型端末がさらに多量のＰＭＩを生成することは問題にならない。
【００４５】
また、各小型端末は相対的に多量のフィードバック情報を小型基地局に送信しなければならないので、小型基地局は相対的に多量の無線リソースをそのフィードバック情報のために各小型端末に割り当てる。
【００４６】
図４は、フィードバック情報の構造の一例を示す図である。
【００４７】
図４の４１０はマクロセルで送信／受信される合計９ビットのフィードバック情報を示し、４２０は小型セルで送信／受信される合計１１ビットのフィードバック情報を示す。ここで、マクロセル及び小型セル通信システムは、コードブックベースの通信システムであると仮定する。
【００４８】
フィードバック情報は、該当チャネルに対するＰＭＩ、ＣＱＩ及び該当端末の好適なランクインジケータ（ＲＩ）を含む。図４に示されたフィードバック情報の構造によれば、各マクロ端末が３ビットのＰＭＩを生成及び送信するために、マクロ基地局及びマクロ端末は３ビットのコードブックを用いる。それだけでなく、各マクロ端末は、該当チャネルに対する４ビットのＣＱＩ及びＲＩを生成及び送信する。一方、各小型端末が４ビットのＰＭＩを生成及び送信するために、小型基地局及び小型端末は４ビットのコードブックを用いる。また、各小型端末は、該当チャネルに対する５ビットのＣＱＩ及びＲＩを生成及び送信する。
【００４９】
各小型端末によって生成及び送信されるフィードバック情報の総量は１１ビットである一方、各マクロ端末によって生成及び送信されるフィードバック情報の総量は９ビットであることが分かる。即ち、各小型端末は、フィードバック情報のために相対的に多くの無線リソースを用いなければならず、従って、小型基地局は各小型端末が確実にフィードバック情報を送信できるように適切に無線リソースを割り当てなければならない。
【００５０】
参考までに、フィードバック情報は、ＰＭＩ、ＣＱＩ、及びＲＩ以外にも多様なインジケータ又は情報を含み得る。例えば、フィードバック情報は、量子化されたチャネルをそのまま含み、及び／又は、好適でないマトリックスのインデックスを含む。
【００５１】
図５は、フィードバック情報を送信するために用いられる無線リソースの一例を示す図である。
【００５２】
図５の無線リソースのグリッド５１０は、マクロセルにおけるＰＵＣＣＨ（Ｐｈｙｓｉｃａｌ  Ｕｐｌｉｎｋ  Ｃｏｎｔｒｏｌ  Ｃｈａｎｎｅｌ）のための無線リソース、及びＰＵＳＣＨ（Ｐｈｙｓｉｃａｌ  Ｕｐｌｉｎｋ  Ｓｈａｒｅｄ  Ｃｈａｎｎｅｌ）のための無線リソースを示す。ここで、マクロセルでＰＭＩ、ＣＱＩ、及びＲＩなどを含むフィードバック情報は、ＰＵＣＣＨのための無線リソースを用いて各マクロ端末からマクロ基地局に送信される。
【００５３】
グリッド５２０は、小型セルにおけるＰＵＣＣＨのための無線リソース及びＰＵＳＣＨのための無線リソースを示す。グリッド５２０は、グリッド５１０に比べて相対的に多量の無線リソースをＰＵＣＣＨのための無線リソースに割り当てる。即ち、小型セルは相対的に少数の小型端末を含んでいるので、各小型端末は相対的に多量のＰＵＣＣＨのための無線リソースを使用できる。従って、小型端末は多量のフィードバック情報を小型基地局に送信できる。
【００５４】
特定端末がマクロ基地局又は小型基地局のうちどの基地局に接続するかによって、特定端末に割り当てられる無線リソースは異なってもよい。即ち、特定端末がマクロ基地局に接続する場合、特定端末はグリッド５１０によりスケジューリングされ、小型基地局に接続する場合、その特定端末はグリッド５２０によってスケジューリングされる。
【００５５】
図６は、本発明の一実施形態に係るコードブックベース（ｃｏｄｅｂｏｏｋ−ｂａｓｅｄ）の通信システムにおける端末の動作方法の一例を示した動作フローチャートである。
【００５６】
図６を参照すると、対象端末は、現在の接続された基地局が小型基地局であるか否かを判断する（Ｓ６１０）。なぜなら、対象端末が接続された基地局が小型基地局又はマクロ基地局のうちの何ずれであるかにより、対象端末によって用いられるコードブック、対象端末のフィードバック情報の構造及びそのフィードバック情報のための無線リソースなどが異なるからである。
【００５７】
もし、対象端末が接続された基地局が小型基地局であれば、対象端末は第２コードブックを選択する（Ｓ６２１）。ここで、小型セルは第２コードブックを用い、マクロセルは第１コードブックを用いると仮定する。ここで、第２コードブックのサイズは、第１コードブックのサイズより大きくてもよい。
【００５８】
また、対象端末は、小型基地局の命令に応答し、又は独立的に第２コードブックのサイズに対応する量だけフィードバックリソースを割り当てる（Ｓ６２２）。ここで、フィードバックリソースとは、対象端末がフィードバック情報を小型基地局に送信するために対象端末によって用いられる無線リソースをいう。
【００５９】
例えば、第２コードブックのサイズが３ビットの場合、対象端末はＰＭＩのために３ビットを割り当て、ＣＱＩ及びＲＩのためにも予め決定したビットを割り当てる。そして、対象端末は、ＰＭＩ、ＣＱＩ、及びＲＩを全て送信できるように適切にフィードバックリソースを割り当てる。
【００６０】
また、対象端末は、対象端末と小型基地局との間のチャネルを推定する（Ｓ６２３）。より具体的には、対象端末は小型基地局から送信されたパイロット信号のような周知の信号に基づいて小型基地局から対象端末へのダウンリンクチャネルを推定する。
【００６１】
また、対象端末は、推定されたチャネルに基づいてＰＭＩ、ＣＱＩ、及びＲＩを含むフィードバック情報を生成する（Ｓ６２４）。即ち、対象端末は推定されたチャネルに基づいて第２コードブックに含まれる複数のコードワードのうち何ずれか１つを選択して、選択されたコードワードのインデックスをＰＭＩで生成する。また、対象端末は推定されたチャネルの品質を示すＣＱＩ及び好適なランクを示すＲＩを生成する。
【００６２】
また、対象端末は、生成されたフィードバック情報を小型基地局に送信する（Ｓ６２５）。ここで、対象端末は、予め割り当てられたフィードバックリソースを用いてフィードバック情報を小型基地局に送信する。小型基地局は、対象端末によって用いられるフィードバックリソース及びフィードバック情報の構造を予め知っているので、フィードバック情報を確実に受信できる。
【００６３】
また、ステップ６１０で、接続された基地局がマクロ基地局の場合、対象端末は第１コードブックを選択する（Ｓ６３１）。ここで、第１コードブックのサイズは一般的に第２コードブックのサイズより小さく設計される。
【００６４】
また、対象端末は、第１コードブックのサイズに対応する量だけフィードバックリソースを割り当てる（Ｓ６３２）。ここで、一般的に第１コードブックのサイズは一般的に第２コードブックのサイズより小さいので、ステップ６３２で割り当てられるフィードバックリソースの量はステップ６２２で割り当てられるフィードバックリソースの量より小さいと予測できる。
【００６５】
また、対象端末は、対象端末とマクロ基地局との間のチャネルを推定する（Ｓ６３３）。より具体的には、対象端末は、マクロ基地局から送信されたパイロット信号のような周知の信号に基づいてマクロ基地局から対象端末へのダウンリンクチャネルを推定する。
【００６６】
また、対象端末は、推定されたチャネルに基づいてＰＭＩ、ＣＱＩ、及びＲＩを含むフィードバック情報を生成する（Ｓ６３４）。そして、対象端末は、ステップ６３２によって割り当てられたフィードバックリソースを用いてフィードバック情報をマクロ基地局に送信する（Ｓ６３５）。
【００６７】
図７は、本発明の一実施形態に係るコードブックベースの通信システムにおけるマクロ基地局の動作方法の一例を示した動作フローチャートである。
【００６８】
図７を参照すると、対象端末がマクロ基地局に接続した場合、マクロ基地局は第１コードブックのサイズに対応する量だけフィードバックリソースを割り当てる（Ｓ７１０）。そして、対象端末は、マクロ基地局と対象端末との間のチャネルを推定し、その推定されたチャネルに基づいてＰＭＩ、ＣＱＩ、及びＲＩを含むフィードバック情報を生成する。また、対象端末は、第１コードブックのサイズに対応する量だけフィードバックリソースを用いてフィードバック情報をマクロ基地局に送信する。
【００６９】
ここで、マクロ基地局は、予め割り当てられたフィードバックリソースを用いて対象端末から送信されたフィードバック情報を受信する（Ｓ７２０）。そして、マクロ基地局は、フィードバック情報に含まれるＰＭＩ、ＣＱＩ、及びＲＩを把握する。
【００７０】
また、マクロ基地局は、対象端末のＰＭＩ、ＣＱＩ、及びＲＩを考慮して対象端末のためのビームフォーミングマトリックスを構成する（Ｓ７３０）。そして、マクロ基地局は、構成されたビームフォーミングマトリックスを用いて送信しようとする少なくとも１つのデータストリームに対してビームフォーミングを実行（Ｓ７４０）。
【００７１】
一般的にマクロセルは小型セルより高い優先度を有するので、マクロ基地局はマクロセルから小型セルへの干渉を考慮しない。従って、マクロ基地局は、マクロセルから小型セルへの干渉チャネルを全く考慮しないまま独立的にビームフォーミングマトリックスを構成できる。
【００７２】
図８は、本発明の一実施形態に係るコードブックベースの通信システムにおける小型基地局の動作方法の一例を示した動作フローチャートである。
【００７３】
図８を参照すると、コードブックベースの通信システムで小型基地局は小型セルのためのコードブックの第２コードブックのサイズに対応する量だけフィードバックリソースを割り当てる（Ｓ８１０）。また、対象端末は、ＰＭＩ、ＣＱＩ、及びＲＩを含むフィードバック情報を生成した後、前記フィードバックリソースを用いてフィードバック情報を小型基地局に送信する。
【００７４】
ここで、小型基地局は、予め割り当てられたフィードバックリソースを用いてフィードバック情報を受信する（Ｓ８２０）。そして、小型基地局は、フィードバック情報に含まれるＰＭＩ、ＣＱＩ、及びＲＩを把握できる。
【００７５】
さらに、小型基地局は、小型基地局とマクロ端末との間のチャネル（又は干渉チャネル）を認知又は予測する（Ｓ８３０）。小型基地局が干渉チャネルを認知する方法は多様であり得る。
【００７６】
第１に、小型基地局は、小型基地局とマクロ端末との間の干渉チャネルに関する情報をマクロ基地局から受信することによって、前記干渉チャネルを認知又は予測する。例えば、マクロ端末は、干渉チャネルに基づいて小型基地局の所望するビーム又は所望しないビームを選択でき、その所望するビーム又は所望しないビームに関する情報をマクロ基地局に送信する。ここで、マクロ基地局は、その所望するビーム又は所望しないビームに関する情報を、バックホール（ｂａｃｋｈａｕｌ、帰路）を介して小型基地局に伝達し、小型基地局は前記情報に基づいて干渉チャネルを認知又は予測した後に、適切なビームフォーミングマトリックスを構成できる。
【００７７】
第２に、小型基地局は、チャネル相反性を用いて小型基地局とマクロ端末との間の干渉チャネルを認知又は予測する。時分割（Ｔｉｍｅ  Ｄｉｖｉｓｉｏｎ）複信（Ｄｕｐｌｅｘｉｎｇ、双方向通信）システムにおいて、小型基地局はマクロ端末から小型基地局へのアップリンクチャネルに基づいて小型基地局からマクロ端末へのダウンリンクチャネル（干渉チャネル）を予測してもよい。それだけでなく、周波数分割複信システムにおいて、小型基地局は干渉チャネルに対する共分散（ｃｏｖａｒｉａｎｃｅ）チャネル行列を手に入れることができその共分散チャネル行列を介して干渉チャネルを認知又は予測してもよい。
【００７８】
また、小型基地局は、小型基地局とマクロ端末との間の干渉チャネルと小型端末から送信されたフィードバック情報に基づいて最適なビームフォーミングマトリックスを構成する（Ｓ８４０）。より具体的には、小型基地局は、第２コードのサイズに対応する個数だけビームフォーミングマトリックスの候補を有し、干渉チャネルと小型端末から送信されたフィードバック情報に基づいてその候補のうち何ずれか１つをビームフォーミングマトリックスとして決定する。
【００７９】
最適なビームフォーミングマトリックスが構成されれば、小型基地局はビームフォーミングマトリックスを用いて少なくとも１つのデータストリームに対してビームフォーミングを実行する（Ｓ８５０）。
【００８０】
図９は、本発明の一実施形態に係る非コードブックベース（ｎｏｎ  ｃｏｄｅｂｏｏｋ−ｂａｓｅｄ）の通信システムにおける端末の動作方法を示した動作フローチャートである。
【００８１】
図９を参照すると、対象端末は、接続された基地局が小型基地局であるか否かを判断する（Ｓ９１０）。なぜなら、対象端末が小型基地局又はマクロ基地局のうちどの基地局に接続するかによって、対象端末によって生成されるフィードバック情報の量と、そのフィードバック情報のために割り当てられるフィードバックリソースの量が異なるからである。
【００８２】
対象端末が小型基地局に接続した場合、対象端末には、小型基地局に対応する量だけフィードバックリソースを割り当てる（Ｓ９２１）。例えば、対象端末が小型基地局に接続した場合、フィードバックリソースの量が１０ビットである一方、対象端末がマクロ基地局に接続した場合のフィードバックリソースの量は８ビットである。ここで、対象端末が小型基地局に接続した場合に、相対的にさらに多量のフィードバックリソースが対象端末に割り当てられ得る。
【００８３】
対象端末は、小型基地局と対象端末との間のチャネルを推定し（Ｓ９２２）、推定されたチャネルを量子化してフィードバック情報を生成する（Ｓ９２３）。ここで、フィードバック情報は、量子化されたチャネルそのものを含み、ＲＩを追加的に含んでもよい。また、対象端末は、フィードバック情報を予め割り当てられたフィードバックリソースを用いて小型基地局に送信する（Ｓ９２４）。
【００８４】
対象端末は、接続された基地局がマクロ基地局である場合、対象端末はフィードバック情報を送信するためにマクロ基地局に対応する量だけフィードバックリソースを割り当てる（Ｓ９３１）。そして、対象端末は、マクロ基地局と対象端末との間のチャネルを推定し（Ｓ９３２）、推定されたチャネルを量子化してフィードバック情報を生成する（Ｓ９３３）。フィードバック情報は、予め割り当てられたフィードバックリソースを用いて対象端末からマクロ基地局に送信される（Ｓ９３４）。
【００８５】
本発明の実施形態に係る方法は、多様なコンピュータ手段によって実行できるプログラム命令形態で実現され、コンピュータ読み出し可能媒体に記録される。前記記録媒体は、プログラム命令、データファイル、データ構造などを単独又は組み合わせたものを含む。前記記録媒体及びプログラム命令は、本発明の目的のために特別に設計して構成されるか、又は、コンピュータソフトウェア分野の技術を有する当業者にとって公知かつ使用可能なものである。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェアモジュールとして作動するように構成してもよく、その逆も同様である。
【００８６】
図１０は、本発明の一実施形態に係る端末のブロック図である。
【００８７】
図１０を参照すると、本発明の一実施形態に係る端末１０００は、接続された基地局認知部１０１０、チャネル推定部１０２０、メモリ１０３０、フィードバック情報生成部１０４０、リソース割当部１０５０、及び送信部１０６０を含む。
【００８８】
接続された基地局認知部１０１０は、端末がマクロ基地局又は小型基地局のうちどの基地局に接続するかを判断する。接続された基地局認知部１０１０の判断結果は、リソース割当部１０５０及びメモリ１０３０に伝えられる。
【００８９】
チャネル推定部１０２０は接続された基地局と端末との間のチャネルを推定し、フィードバック情報生成部１０４０は推定されたチャネルに基づいてフィードバック情報を生成する。ここで、フィードバック情報生成部１０４０は、コードブックに基づいてフィードバック情報を生成するか、又は、チャネルを量子化することによってフィードバック情報を生成する。
【００９０】
また、フィードバック情報生成部１０４０がコードブックに基づいてフィードバック情報を生成する場合、メモリ１０３０からフィードバック情報生成部１０４０に提供されるコードブックは、接続された基地局が何ずれであるかによって異なる。即ち、メモリ１０３０にはマクロセルのための第１コードブック及び小型セルのための第２コードブックが格納され、端末１０００がマクロ基地局に接続した場合、フィードバック情報生成部１０４０には第１コードブックが伝えられ、端末１０００が小型基地局に接続した場合、フィードバック情報生成部１０４０には第２コードブックが伝えられる。
【００９１】
また、リソース割当部１０５０もまた接続された基地局が何ずれであるかを考慮してフィードバックリソースを割り当てる。特に、リソース割当部１０５０は、端末１０００が小型基地局に接続した場合、相対的に多量のフィードバックリソースを割り当てる一方、端末１０００がマクロ基地局に接続した場合、相対的に少量のフィードバックリソースを割り当てる。
【００９２】
また、送信部１０６０は、割り当てられたフィードバックリソースを用いてフィードバック情報を接続された基地局に送信する。
【００９３】
図１１は、本発明の一実施形態に係るマクロ基地局のブロック図である。
【００９４】
図１１を参照すると、本発明の一実施形態に係るマクロ基地局１１００は、リソース割当部１１１０、フィードバック情報受信部１１２０、メモリ１１３０、ビームフォーミングマトリックス生成部１１４０、及びビームフォーマ１１５０を含む。
【００９５】
リソース割当部１１１０は、端末がマクロ基地局１１００に接続したことが確認されれば、予め決定した構造を有するフィードバック情報を受信できるようにフィードバックリソースを割り当てる。また、フィードバック情報受信部１１２０は、割り当てられたフィードバックリソースを用いて端末から送信されたフィードバック情報を受信する。ここで、フィードバック情報がコードブックに基づいて生成された場合、フィードバック情報受信部１１２０は、メモリ１１３０に格納されたマクロセルのための第１コードブックを参照してフィードバック情報を分析する。一方、フィードバック情報が量子化されたチャネルを含む場合、フィードバック情報受信部１１２０は、フィードバック情報に基づいてチャネルそのものを把握する。
【００９６】
ビームフォーミングマトリックス生成部１１４０は、ＰＭＩ、ＣＱＩ、ＲＩ又は量子化されたチャネルを含むフィードバック情報に基づいてマクロ端末のためのビームフォーミングマトリックスを生成する。そして、ビームフォーマ１１５０はビームフォーミングマトリックスを用いて少なくとも１つのデータストリームに対してビームフォーミングを実行する。
【００９７】
図１２は、本発明の一実施形態に係る小型基地局のブロック図である。
【００９８】
図１２を参照すると、本発明の一実施形態に係る小型基地局１２００は、リソース割当部１２１０、フィードバック情報受信部１２２０、メモリ１２３０、ビームフォーミングマトリックス生成部１２４０、干渉チャネル認知部１２５０、及びビームフォーマ１２６０を含む。
【００９９】
リソース割当部１２１０は、フィードバック情報を端末から受信するために小型基地局１２００に対応するフィードバックリソースを割り当てる。特に、コードブックベースの通信システムにおいて、リソース割当部１２１０は、マクロ基地局のための第１コードブックと区別される小型基地局のための第２コードブックのサイズに対応する量だけフィードバックリソースを割り当てる。
【０１００】
また、フィードバック情報受信部１２２０は、割り当てられたフィードバックリソースを用いて端末から送信されたフィードバック情報を受信する。ここで、フィードバック情報がコードブックに基づいて生成された場合、フィードバック情報受信部１２２０は、メモリ１２３０に格納された小型セルのための第２コードブックを参照してフィードバック情報を分析する。一方、フィードバック情報が量子化されたチャネルを含む場合、フィードバック情報受信部１２２０はフィードバック情報に基づいてチャネルそのものを把握する。
【０１０１】
また、干渉チャネル認知部１２５０は、小型基地局１２００からマクロ端末への干渉チャネルを認知する。上述したように、干渉チャネルを認知する方法は多様であり得る。
【０１０２】
ビームフォーミングマトリックス生成部１２４０は、フィードバック情報及び干渉チャネルを考慮してビームフォーミングマトリックスを生成し、ビームフォーマ１２６０は生成されたビームフォーミングマトリックスを用いてビームフォーミングを実行する。
【０１０３】
図１０から図１２に示した端末、マクロ基地局、及び小型基地局には、図１から図９で説明した内容がそのまま適用してもよいので、それらに対する詳細な説明は省略する。
【０１０４】
上述したように本発明を限定された実施形態と図面によって説明したが、本発明は、上記の実施形態に限定されることなく、本発明が属する分野における通常の知識を有する者であれば、この実施形態から多様な修正及び変形が可能であろう。
【０１０５】
従って、本発明の範囲は、開示された実施形態に限定されて定められるものではなく、特許請求の範囲及び該特許請求の範囲と均等なものによって定められるべきである。
【符号の説明】
【０１０６】
１１０    マクロセル
１１１    マクロ基地局
１１２    マクロ端末
１２０    小型セル
１２１    小型基地局
１２２    小型端末
４１０    マクロセルで送信／受信される合計９ビットのフィードバック情報
４２０    小型セルで送信／受信される合計１１ビットのフィードバック情報
５１０    マクロセルにおける無線リソースのグリッド
５２０    小型セルにおける無線リソースのグリッド
１０００    端末
１０１０    接続された基地局認知部
１０２０    チャネル推定部
１０３０    メモリ
１０４０    フィードバック情報生成部
１０５０    リソース割当部
１０６０    送信部
１１００    マクロ基地局
１１１０    リソース割当部
１１２０    フィードバック情報受信部
１１３０    メモリ
１１４０    ビームフォーミングマトリックス生成部
１１５０    ビームフォーマ
１２００    小型基地局
１２１０    リソース割当部
１２２０    フィードバック情報受信部
１２３０    メモリ
１２４０    ビームフォーミングマトリックス生成部
１２５０    干渉チャネル認知部
１２６０    ビームフォーマ
【図１】
0005551266.tif 000002
【図２】
0005551266.tif 000003
【図３】
0005551266.tif 000004
【図４】
0005551266.tif 000005
【図５】
0005551266.tif 000006
【図６】
0005551266.tif 000007
【図７】
0005551266.tif 000008
【図８】
0005551266.tif 000009
【図９】
0005551266.tif 000010
【図１０】
0005551266.tif 000011
【図１１】
0005551266.tif 000012
【図１２】
0005551266.tif 000013